(57)【要約】【課題】  コンテンツ供給業者から携帯端末にダウンロードされたコンテンツに対するコンテンツ料金が、実際に携帯端末にダウンロードされたコンテンツに対するコンテンツ料金であるかを確認可能にする。【解決手段】  プローブ装置１０は、携帯端末とＣＳＰ２間の通信データを抽出する。課金処理サーバ１３は、通信制御サーバ１２から入力されたＰａｃｋｅｔ  ＣＤＲと、プローブ装置１０から入力されたデータとから携帯端末３０にダウンロードされたコンテンツに対する課金データを生成し、このデータを請求処理サーバ１４に出力する。請求処理サーバ１４は、課金データに記述されているコンテンツ料金と、予めＣＳＰ２から提示されたＣｏｎｔｅｎｔ  ＣＤＲとを照合する。【選択図】図１
2008026956.tif 000002
【特許請求の範囲】
【請求項１】
携帯端末による要求に従ってコンテンツデータを当該携帯端末に伝送するコンテンツ提供サーバと、前記コンテンツデータに係るコンテンツ料金と前記携帯端末の通信に係るデータ通信料金とを算出する課金処理手段を装備した課金システムサーバとを備えて構成されたデータ通信課金システムであって、
前記携帯端末と前記コンテンツ提供サーバ間の通信データからデータ詳細情報を抽出するデータ詳細情報抽出手段と、この抽出したデータ詳細情報を前記課金システムサーバへ送信するデータ送信手段とを装備したプローブ装置を備え、
前記課金システムサーバが、前記携帯端末に伝送されたコンテンツデータに関するコンテンツ詳細情報を前記コンテンツ提供サーバから受信しこのコンテンツ詳細情報と前記プローブ装置からの前記データ詳細情報とを照合し当該コンテンツ詳細情報の正否を判定するコンテンツ詳細情報認証手段を装備したことを特徴とするデータ通信課金システム。
【請求項２】
前記請求項１に記載のデータ通信課金システムにおいて、
前記課金システムサーバにおける課金処理手段が、前記プローブ装置からの前記データ詳細情報を基に前記コンテンツデータに係るコンテンツ料金とこのコンテンツデータ伝送時にかかる前記データ通信料金とを算出する機能を有したことを特徴とするデータ通信課金システム。
【請求項３】
前記請求項１又は２に記載のデータ通信課金システムにおいて、
前記課金システムサーバにおいては、前記課金処理手段が、前記プローブ装置からの前記データ詳細情報に対応付けて設定した単位通信データ量毎のデータ通信料金に基づいて前記コンテンツデータ伝送時にかかる前記データ通信料金を算出する機能を有したことを特徴とするデータ通信課金システム。
【請求項４】
前記請求項１乃至３のいずれか一項に記載のデータ通信課金システムにおいて、
前記データ詳細情報が前記コンテンツ提供サーバの識別情報を含む情報であり、前記課金処理手段が、前記コンテンツ提供サーバの識別情報に対応付けて設定した単位通信データ量毎のデータ通信料金に基づいて前記コンテンツデータ伝送時にかかる前記データ通信料金を算出する機能を有したことを特徴とするデータ通信課金システム。
【請求項５】
前記請求項１乃至４のいずれか一項に記載のデータ通信課金システムにおいて、
前記データ詳細情報が前記コンテンツデータ伝送時に用いたプロトコルを示す情報を含み、前記課金処理手段が、前記プロトコルに対応付けて設定した単位通信データ量毎のデータ通信料金に基づいて前記コンテンツデータ伝送時にかかる前記データ通信料金を算出する機能を有したことを特徴とするデータ通信課金システム。
【請求項６】
コンテンツ提供サーバが携帯端末による要求に従ってコンテンツデータを当該携帯端末に伝送するコンテンツ伝送工程と、課金システムサーバが、前記コンテンツデータに係るコンテンツ料金と前記携帯端末の通信のデータ量に伴うデータ通信料金とを算出する課金処理工程とを設けたデータ通信課金方法であって、
前記コンテンツ伝送工程と前記課金処理工程との間に、
前記携帯端末と前記コンテンツ提供サーバ間の通信データにかかるデータ詳細情報を抽出するデータ詳細情報抽出工程と、前記携帯端末に伝送されたコンテンツデータに関するコンテンツ詳細情報を前記コンテンツ提供サーバから受信しこのコンテンツ詳細情報と前記データ詳細情報とを照合し当該コンテンツ詳細情報の正否を判定するコンテンツ詳細情報認証工程とを設けたことを特徴とするデータ通信課金方法。
【請求項７】
前記請求項６に記載のデータ通信課金方法において、
前記課金処理工程を、前記データ詳細情報を基に前記コンテンツデータに係るコンテンツ料金とこのコンテンツデータ伝送時にかかる前記データ通信料金とを算出するように構成したことを特徴とするデータ通信課金方法。
【請求項８】
コンテンツ提供サーバが携帯端末による要求に従ってコンテンツデータを当該携帯端末に伝送した場合に、前記コンテンツデータにかかるコンテンツ料金を算出するコンテンツ課金処理と、前記携帯端末のデータ通信にかかる通信データ量に伴うデータ通信料金を算出する通信課金処理とをコンピュータに実行させるデータ通信課金用プログラムにおいて、
前記携帯端末と前記コンテンツ提供サーバ間の通信データにかかるデータ詳細情報をこれを抽出したプローブ装置から受信する抽出データ受信処理と、前記携帯端末に伝送されたコンテンツデータに関するコンテンツ詳細情報を前記コンテンツ提供サーバから受信しこのコンテンツ詳細情報と前記プローブ装置からの前記データ詳細情報とを照合し当該コンテンツ詳細情報の正否を判定するコンテンツ詳細情報認証処理とを前記コンピュータに実行させることを特徴とするデータ通信課金用プログラム。
【請求項９】
前記請求項８に記載のデータ通信課金用プログラムにおいて、
前記コンテンツ課金処理にあっては、前記データ詳細情報を基に前記コンテンツデータに係るコンテンツ料金を算出するようにその内容を特定したことを特徴とするデータ通信課金用プログラム。
【請求項１０】
前記請求項８又は９に記載のデータ通信課金用プログラムにおいて、
前記通信課金処理にあっては、前記データ詳細情報に対応付けて設定した単位通信データ量毎のデータ通信料金に基づいて前記データ通信料金を算出するようにその内容を特定したことを特徴とするデータ通信課金用プログラム。
【発明の詳細な説明】
【技術分野】
【０００１】
本発明は、コンテンツを供給するコンテンツ供給業者に代行して通信事業者が、携帯端末にダウンロードされたコンテンツデータにかかるコンテンツ料金を徴収するデータ通信課金システム，データ通信課金方法及びデータ通信課金用プログラムに関する。
【背景技術】
【０００２】
従来、コンテンツサービスプロバイダ（以下、ＣＳＰ）から携帯端末にダウンロードされたコンテンツの料金を、通信事業者がＣＳＰの替わりにこの携帯端末のユーザから徴収し、その引き替えにＣＳＰは、数％のコミッション費用を通信事業者に支払うというコンテンツ料金徴収システムが構築されていた。このシステムにおいて、通信事業者がユーザに対して徴収するコンテンツ料金は、ＣＳＰ側に管理されているアプリケーションサーバ（以下、ＡＰサーバ）から送信されるＣｏｎｔｅｎｔ  ＣＤＲ（Ｃａｌｌ  Ｄｅｔａｉｌｅｄ  Ｒｅｃｏｒｄ）に記述されているコンテンツ料金が用いられていた。
【０００３】
ここで、上述した従来のコンテンツ料金徴収システムを、図１１を参照して詳細に説明する。従来のコンテンツ料金徴収システムにおいて、通信事業者６側には、ネットワーク装置６１と、通信制御サーバ６２と、課金処理サーバ６３と、請求処理サーバ６４とが設置されている。ネットワーク装置６１は、携帯端末８０によるデータ通信のパケット数を検出し、携帯端末８０を識別する識別情報と検出したパケット数とを通信制御サーバ６２に出力する。
【０００４】
通信制御サーバ６２は、入力された識別情報及びパケット数から、携帯端末８０によるデータ通信にかかるパケットの使用情報を有するＰａｃｋｅｔ  ＣＤＲを生成し、これを課金処理サーバ６３に出力する。
【０００５】
課金処理サーバ６３は、入力されたＰａｃｋｅｔ  ＣＤＲに基づき、携帯端末８０のデータ通信にかかるパケット料金を算出し、パケット料金に対する課金データを生成し、このデータを請求処理サーバ６４に出力する。
【０００６】
請求処理サーバ６４は、課金処理サーバ６３から入力された課金データと、ＡＰサーバ７０から送信されたＣｏｎｔｅｎｔ  ＣＤＲとに記述されているコンテンツ料金データに基づき、携帯端末８０にかかるパケット料金とコンテンツ料金とを特定の期間ごとに合算し、特定の期間ごとに携帯端末８０のユーザに徴収する料金が記述された請求データを生成し、この請求データを基にして、ユーザに送封する請求書を印刷装置に印刷出力させている。
【０００７】
従来のコンテンツ料金徴収システムは、上述したような構成及び方法で行われているが、このほかに、利用者の要求する情報に対して課金を行う情報提供システム（特許文献１参照）や高価なコンテンツの流通を促進することを可能とする課金処理装置（特許文献２参照）が開示されている。
【０００８】
特許文献１に記載の情報提供システムは、課金サーバが、通信端末にダウンロードしたコンテンツのデータ量を取得し、このデータを基にして通信端末のユーザに対してコンテンツを送信した際の通信料を算出し、この算出した値を基にしてユーザに対する課金データを生成するシステムである。
【０００９】
また、特許文献２に記載の課金処理装置は、コンテンツの価格が高くなるほど単位データ量当たりの通信料金が安くなるように定められた通信料金単価テーブルを有し、料金算出部が、コンテンツ提供サーバから予め供給されたユーザ端末装置にダウンロードしたコンテンツの価格、及び、ネットワーク装置から予め供給されたデータ量を用いてコンテンツを送信する際の通信料金を算出し、課金処理部が算出された通信料金の課金処理を行う装置である。
【００１０】
【特許文献１】特開２００２‐１８９９４３号公報
【特許文献２】特開２００４‐３０２７８２号公報
【発明の開示】
【発明が解決しようとする課題】
【００１１】
しかしながら、図１１に示す従来のコンテンツ料金徴収システムでは、請求処理サーバ６４は、課金処理サーバ６３から入力された課金データと、ＣＳＰ７に管理されているＡＰサーバ７０から送信されたＣｏｎｔｅｎｔ  ＣＤＲとに基づき、パケット料金とコンテンツ料金とを合算し、ユーザに徴収する料金が記述された請求データを生成するので、ＣＳＰ７から提供されたコンテンツに対するコンテンツ料金が、実際に携帯端末８０にダウンロードされたコンテンツデータに対するコンテンツ料金であるかを確認することができないという問題点があった。
【００１２】
また、上記従来のコンテンツ料金徴収システムでは、コンテンツデータをダウンロードした際に要するパケット料金について、１パケットの単価が通常のデータ通信時と同様に一律に固定されているので、例えば、よく利用されるコンテンツにはパケット単価を低く設定するなど、パケット料金を柔軟に設定することができないという問題点があった。
【００１３】
また、特許文献１の情報提供システムでは、課金サーバが、通信端末にダウンロードしたコンテンツのデータ量を基にして通信端末のユーザに対してコンテンツを送信した際の通信料を算出し、この算出した値を基にしてユーザに対する課金データを生成するのみであり、コンテンツを供給する事業者に代行して通信端末にダウンロードされたコンテンツのコンテンツ料金を徴収するコンテンツ料金徴収システムでないので、上記従来のコンテンツ料金徴収システムが有する上記問題点を解決する技術を有していない。
【００１４】
また、特許文献２の課金処理装置では、料金算出部が、コンテンツ提供サーバから予め供給されたユーザ端末装置にダウンロードしたコンテンツの料金、及び、ネットワーク装置から予め供給されたデータ量を用いてコンテンツを送信する際の通信料金を算出するので、図１１に示す従来のコンテンツ料金徴収システムと同様、コンテンツ提供サーバから送信されたコンテンツに対するコンテンツ料金が、実際にユーザ端末装置にダウンロードされたコンテンツに対するコンテンツ料金であるかを確認することができないという問題点があった。また、この課金処理装置では、パケット料金を柔軟に設定することができないという問題点を解消する技術は開示されていない。
【００１５】
そこで、本発明は、上述した問題点に鑑み、コンテンツを供給するコンテンツ供給業者から携帯端末にダウンロードされたコンテンツデータを示すＣｏｎｔｅｎｔ  ＣＤＲが、実際に携帯端末にダウンロードされたコンテンツデータを示すものであるかを確認可能なデータ通信課金システム，データ通信課金方法及びデータ通信課金用プログラムを提供することを目的とする。
【００１６】
また、本発明は、携帯端末にダウンロードされるコンテンツデータに対するパケット料金を柔軟に設定することが可能なデータ通信課金システム，データ通信課金方法及びデータ通信課金用プログラムを提供することを目的とする。
【課題を解決するための手段】
【００１７】
上記目的を達成するため、本発明のデータ通信課金システムは、携帯端末による要求に従ってコンテンツデータを当該携帯端末に伝送するコンテンツ提供サーバと、コンテンツデータに係るコンテンツ料金と携帯端末の通信に係るデータ通信料金とを算出する課金処理手段を装備した課金システムサーバとを備えて構成されたデータ通信課金システムであり、携帯端末とコンテンツ提供サーバ間の通信データからデータ詳細情報を抽出するデータ詳細情報抽出手段と、この抽出したデータ詳細情報を課金システムサーバへ送信するデータ送信手段とを装備したプローブ装置を備え、課金システムサーバが、携帯端末に伝送されたコンテンツデータに関するコンテンツ詳細情報をコンテンツ提供サーバから受信しこのコンテンツ詳細情報とプローブ装置からのデータ詳細情報とを照合し当該コンテンツ詳細情報の正否を判定するコンテンツ詳細情報認証手段を装備したことを特徴とする（請求項１）。
【００１８】
このようなデータ通信課金システムによれば、課金システムサーバのコンテンツ詳細情報認証手段により、プローブ装置により抽出された携帯端末とコンテンツ提供サーバ間の通信データにかかるデータ詳細情報に示されたコンテンツデータに関する情報と、予めコンテンツ提供サーバから提示されたコンテンツ詳細情報とが照合されるので、実際に携帯端末にダウンロードされたコンテンツデータに対するコンテンツ詳細情報が、コンテンツ提供サーバから提示されているか確認することができ、通信事業者は、ユーザに対して正確な料金徴収を実施できる。
【００１９】
また、上記のデータ通信課金システムにおいて、上述した課金システムサーバにおける課金処理手段が、プローブ装置からのデータ詳細情報を基にコンテンツデータに係るコンテンツ料金とこのコンテンツデータ伝送時にかかるデータ通信料金とを算出する機能を有してもよい（請求項２）。
【００２０】
このようにすると、コンテンツ提供サーバからの提示に頼ることなく、実際に携帯端末にダウンロードされたコンテンツデータに対する料金を算出することができる。
【００２１】
また、上記のデータ通信課金システムにおいて、上述した課金システムサーバにおいては、課金処理手段が、プローブ装置からのデータ詳細情報に対応付けて設定した単位通信データ量毎のデータ通信料金に基づいてコンテンツデータ伝送時にかかるデータ通信料金を算出する機能を有してもよい（請求項３）。
【００２２】
このようにすると、単位通信データ量毎のデータ通信料金である基本パケット料金を伝送するデータの内容ごとに設定でき、コンテンツデータの伝送時にかかるデータ通信料金を柔軟に設定することができる。
【００２３】
更に、上記のデータ通信課金システムにおいて、上述したデータ詳細情報がコンテンツ提供サーバの識別情報を含む情報であり、課金処理手段が、コンテンツ提供サーバの識別情報に対応付けて設定した単位通信データ量毎のデータ通信料金に基づいてコンテンツデータ伝送時にかかるデータ通信料金を算出する機能を有しもよい（請求項４）。このようにすると、基本パケット料金をデータの発信元ごとに設定でき、コンテンツデータの伝送時にかかるデータ通信料金を柔軟に設定することができる。
【００２４】
また更に、上記のデータ通信課金システムにおいて、上述したデータ詳細情報がコンテンツデータ伝送時に用いたプロトコルを示す情報を含み、課金処理手段が、プロトコルに対応付けて設定した単位通信データ量毎のデータ通信料金に基づいてコンテンツデータ伝送時にかかるデータ通信料金を算出する機能を有してもよい（請求項５）。このようにすると、基本パケット料金をデータ伝送に用いられたプロトコルごとに設定でき、コンテンツデータの伝送時にかかるデータ通信料金を柔軟に設定することができる。
【００２５】
次に、本発明のデータ通信課金方法は、コンテンツ提供サーバが携帯端末による要求に従ってコンテンツデータを当該携帯端末に伝送するコンテンツ伝送工程と、課金システムサーバが、コンテンツデータに係るコンテンツ料金と携帯端末の通信のデータ量に伴うデータ通信料金とを算出する課金処理工程とを設けたデータ通信課金方法であり、コンテンツ伝送工程と課金処理工程との間に、携帯端末とコンテンツ提供サーバ間の通信データにかかるデータ詳細情報を抽出するデータ詳細情報抽出工程と、課金システムサーバが、データ詳細情報とコンテンツ提供サーバから提示されるコンテンツ詳細情報とを照合しコンテンツ詳細情報の正否を判定するコンテンツ詳細情報認証工程とを設けたことを特徴とする（請求項６）。
【００２６】
このようなデータ通信課金方法によれば、携帯端末とコンテンツ提供サーバ間の通信データにかかるデータ詳細情報に示されたコンテンツデータに関する情報と、予めコンテンツ提供サーバから提示されたコンテンツ詳細情報とが照合されるので、実際に携帯端末にダウンロードされたコンテンツデータに対するコンテンツ詳細情報が、コンテンツ提供サーバから提示されているか確認することができ、通信事業者は、ユーザに対して正確な料金徴収を実施できる。
【００２７】
また、上記のデータ通信課金方法において、上述した課金処理工程を、プローブ装置からのデータ詳細情報を基にコンテンツ料金とデータ通信料金とを算出するように構成してもよい（請求項７）。このようにすると、コンテンツ提供サーバからの提示に頼ることなく、実際に携帯端末にダウンロードされたコンテンツデータに対する料金を算出することができる。
【００２８】
次に、本発明のデータ通信課金用プログラムは、コンテンツ提供サーバが携帯端末による要求に従ってコンテンツデータを当該携帯端末に伝送した場合に、コンテンツデータにかかるコンテンツ料金を算出するコンテンツ課金処理と、携帯端末の通信にかかる通信データ量に伴うデータ通信料金を算出する通信課金処理とをコンピュータに実行させるデータ通信課金用プログラムであり、携帯端末とコンテンツ提供サーバ間の通信データにかかるデータ詳細情報をこれを抽出したプローブ装置から受信する抽出データ受信処理と、携帯端末に伝送されたコンテンツデータに関するコンテンツ詳細情報をコンテンツ提供サーバから受信しこのコンテンツ詳細情報とプローブ装置からのデータ詳細情報とを照合しコンテンツ詳細情報の正否を判定するコンテンツ詳細情報認証処理とをコンピュータに実行させることを特徴とする（請求項８）。
【００２９】
このようなデータ通信課金用プログラムによれば、実際に携帯端末にダウンロードされたコンテンツデータに対するコンテンツ詳細情報が、コンテンツ提供サーバから提示されているか確認することができ、通信事業者は、ユーザに対して正確な料金徴収を実施できる。
【００３０】
また、上記のデータ通信課金用プログラムにおいて、上述したコンテンツ課金処理にあっては、データ詳細情報を基にコンテンツデータに係るコンテンツ料金を算出するようにその内容を特定してもよい（請求項９）。このようにすると、コンテンツ提供サーバからの提示に頼ることなく、実際に携帯端末にダウンロードされたコンテンツデータに対する料金を算出することができる。
【００３１】
更に、上記のデータ通信課金用プログラムにおいて、上述した通信課金処理にあっては、データ詳細情報に対応付けて設定した単位通信データ量毎のデータ通信料金に基づいてコンテンツデータ伝送時にかかるデータ通信料金を算出するようにその内容を特定してもよい（請求項１０）。このようにすれば、コンテンツデータの伝送時にかかるデータ通信料金を柔軟に設定することができる。
【発明の効果】
【００３２】
本発明は以上のように構成され機能するため、これにより、
【発明を実施するための最良の形態】
【００３３】
以下、本発明における一実施形態を、図面を参照して説明する。
【００３４】
図１は、本実施形態のデータ通信課金システムの全体構成を示すブロック図である。
【００３５】
本実施形態のデータ通信課金システムは、図１に示すように、ＣＳＰ（コンテンツサービスプロバイダ）に管理されているコンテンツ提供サーバとしてのＡＰ（アプリケーション）サーバ２０から、モバイルネットワーク４０を介し携帯端末３０にコンテンツデータがダウンロードされたときに発生する課金処理を行うシステムであって、通信事業者１に管理されているプローブ装置１０と、ネットワーク装置１１と、通信制御サーバ１２と、課金処理サーバ１３と、請求処理サーバ１４とを備えて構成されている。
【００３６】
図１に示すプローブ装置１０は、モバイルネットワーク４０とＡＰサーバ２０とを通信接続する通信回線４５に接続されており、記憶装置１０１と、ＣＰＵ（中央処理装置）１０２とを備えている。記憶装置１０１は、ＲＡＭ、ＲＯＭ、ハードディスク等からなり、ＣＰＵ１０２に各種処理を実行させる制御プログラム（図示せず）を有している。なお、通信回線４５に送信されるデータの通信プロトコルとして、コンテンツデータの種別に対応してＨＴＴＰ（ＨｙｐｅｒＴｅｘｔ  Ｔｒａｎｓｆｅｒ  Ｐｒｏｔｏｃｏｌ），ＳＭＴＰ（Ｓｅｍｐｌｅ  Ｍａｉｌ  Ｔｒａｎｓｆｅｒ  Ｐｒｏｔｏｃｏｌ），ＰＯＰ（Ｐｏｓｔ  Ｏｆｆｉｃｅ  Ｐｒｏｔｏｃｏｌ）、ＦＴＰ（Ｆｉｌｅ  Ｔｒａｎｓｆｅｒ  Ｐｒｏｔｏｃｏｌ），ＲＴＳＰ（Ｒｅａｌｔｉｍｅ  Ｓｔｒｅａｍｉｎｇ  Ｐｒｏｔｏｃｏｌ）が使用されている。
【００３７】
プローブ装置１０のＣＰＵ１０２は、ＣＳＰ２に設置されているＡＰサーバ２０から携帯端末３０に送信される通信データを常時監視し、通信データがＡＰサーバ２０から携帯端末３０に送信されたことを検知すると、この送信された通信データにかかるデータ詳細情報を抽出するデータ詳細情報抽出手段としての機能と、抽出したデータ詳細情報に示されている送信日時，携帯端末３０の電話番号、及び、データが格納されていた場所を示すＵＲＬ（Ｕｎｉｆｏｒｍ  Ｒｅｓｏｕｒｃｅ  Ｌｏｃａｔｏｒ）等の情報を記憶装置１０１の通信データ情報登録ＤＢ１０１ａ（図２）に記憶するとともに、このデータを課金処理サーバ１３に出力するデータ送信手段としての機能を有している。
【００３８】
また、ネットワーク装置１１は、ゲートウェイ装置，交換装置，あるいはこれらの装置の組み合わせで構成され、モバイルネットワーク４０におけるデータ通信を管理する装置である。具体的に、ネットワーク装置１１は、携帯端末３０の通信日時，通信のデータ量を示すパケット数、及び、携帯端末３０に割り当てられた電話番号を検出し、この検出した日時，パケット数及び電話番号を通信制御サーバ１２に出力する。
【００３９】
通信制御サーバ１２は、ネットワーク装置１１からの通信日時，パケット数及び電話番号を示す情報を用いて、携帯端末３０が行った通信に関する通信詳細情報であるＰａｃｋｅｔ  ＣＤＲを生成し、このＰａｃｋｅｔ  ＣＤＲを課金処理サーバ１３に出力する。Ｐａｃｋｅｔ  ＣＤＲには、発信番号（携帯端末３０の電話番号），着信側識別情報，データ通信日時，通信パケット数が記録されている。
【００４０】
課金処理サーバ１３は、図１に示すように、記憶装置１３１と、ＣＰＵ１３２とを備えている。記憶装置１３１は、ＲＡＭ、ＲＯＭ、ハードディスク等からなり、ＣＰＵ１３２に各種処理を実行させる制御プログラム（図示せず）、図３に示すコンテンツ識別リスト１３１ａ及びコンテンツ単価リスト１３２ｂと、第１パケット料金単価修正リスト１３２ｃと、第２パケット料金単価修正リスト１３２ｄとを格納している。
【００４１】
図４（ａ）に示すコンテンツ識別リスト１３１ａは、ＡＰ（アプリケーション）サーバ２０が供給するコンテンツデータを識別するためのリストであって、コンテンツ識別コードに対応するＵＲＬが記録されている。
【００４２】
図４（ｂ）に示すコンテンツ単価リスト１３１ｂは、コンテンツデータの単価及び種別を特定するためのリストであって、コンテンツ識別コードに対応するコンテンツの単価（円）及びコンテンツの種別が記録されている。
【００４３】
図５（ａ）に示す第１パケット料金単価修正情報登録ＤＢ１３２ｃは、コンテンツデータが格納されていた箇所を指定するＵＲＬに応じたパケット料金を算出するためのリストであって、ＵＲＬに対応する基本料金としての１パケットの単価に対する修正率が記録されている。
【００４４】
図５（ｂ）に示す第２パケット料金単価修正情報登録ＤＢ１３２ｄは、コンテンツデータがダウンロードされた際に使用されたプロトコルに応じたパケット料金を算出するためのリストであって、コンテンツデータがダウンロードされた際に用いられたプロトコルに対応する基本料金としての１パケットの単価に対する修正率を有する第２パケット料金単価修正率が記録されている。
【００４５】
課金処理サーバ１３のＣＰＵ１３２は、コンテンツ識別リスト１３１ａ，コンテンツ単価リスト１３２ｂ，第１パケット料金単価修正リスト１３２ｃ，第２パケット料金単価修正リスト１３２ｄを参照し、プローブ装置１０からのデータ詳細情報に基づいて、ＡＰサーバ２０から携帯端末３０にダウンロードされたコンテンツデータのコンテンツ料金とこのコンテンツデータの伝送時の１パケットの単価を特定する機能を有している。
【００４６】
そして、ＣＰＵ１３２は、通信制御サーバ１２からのＰａｃｋｅｔ  ＣＤＲと、プローブ装置１０からのデータ詳細情報とを照会し、発信番号（携帯端末３０の電話番号），データ通信日時の一致から、プローブ装置１０からのデータ詳細情報に対応するＰａｃｋｅｔ  ＣＤＲを選出する。この選出されたＰａｃｋｅｔ  ＣＤＲが示すパケット数と、プローブ装置１０からのデータに基づいて特定されたコンテンツデータの伝送時の１パケットの単価とからコンテンツデータ伝送時のパケット料金を算出する課金処理手段としての機能を有している。
【００４７】
このようにして算出されたコンテンツ料金とパケット料金とを基に携帯端末３０にダウンロードされたコンテンツデータに対する課金データを作成し、この課金データを請求処理サーバ１４に出力する。
【００４８】
課金データには、コンテンツデータがダウンロードされた携帯端末３０に割り当てられた電話番号、コンテンツデータが携帯端末３０にダウンロードされた日時、コンテンツデータの種別、コンテンツデータが送信される際に使用されたプロトコル名、コンテンツデータを送信する際に使用されたパケット数、コンテンツを送信する際に係るパケット料金（修正された料金）、コンテンツ料金、及び、パケット料金とコンテンツ料金を合算した結合課金が記録されている。
【００４９】
図１に示す請求処理サーバ１４は、記憶装置１４１と、ＣＰＵ１４２とを備えている。記憶装置１４１は、ＲＡＭ、ＲＯＭ、ハードディスク等からなり、ＣＰＵ１４２に各種処理を実行させる制御プログラム（図示せず）、図６に月次ユーザ課金情報登録ＤＢ１４１ａ、及び、ユーザ管理情報登録ＤＢ１４１ｂ、及び、コンテンツ料金情報登録ＤＢ１４１ｃを記憶している。
【００５０】
請求処理サーバ１４における月次ユーザ課金情報登録ＤＢ１４１ａは、ユーザ毎の月次ユーザ課金ファイル（図７（ａ））が登録されている。この月次ユーザ課金ファイルは、課金処理サーバ１３から入力された課金データが記録されている。すなわち、この月次ユーザ課金ファイルは、ユーザの携帯端末３０に割り当てられた電話番号、コンテンツデータが携帯端末３０にダウンロードされた日時，コンテンツの種別，コンテンツデータがダウンロードされた際に使用されたプロトコル，送信されたコンテンツデータに使用されたパケット数，送信されたコンテンツデータにかかったコンテンツ料金，コンテンツ料金及びパケット料金を合算した結合課金からなる課金データを記憶する。
【００５１】
また、ユーザ管理情報登録ＤＢ１４１ｂは、ユーザに対して請求書（Ｂｉｌｌ）を作成するために必要となるユーザ管理データを記憶する。このユーザ管理データは、図７（ｂ）に示すように、ユーザの携帯端末３０に割り当てられた電話番号，メールアドレス，ユーザの氏名及びその住所が記録されている。
【００５２】
また、コンテンツ料金情報登録ＤＢ１４１ｃは、ＣＳＰ２が通信事業者１に対して請求するユーザ毎のコンテンツ料金の内容を示すＣｏｎｔｅｎｔ  ＣＤＲが記憶されている。このＣｏｎｔｅｎｔ  ＣＤＲは、図８に示すように、コンテンツがダウンロードされた携帯端末３０に割り当てられている電話番号と、コンテンツが携帯端末３０にダウンロードされた日時と、コンテンツの種別と、プロトコル名及びコンテンツ料金とが記憶されている。
【００５３】
図１に示す請求処理サーバ１４のＣＰＵ１４２は、ＡＰサーバ２０からＣｏｎｔｅｎｔ  ＣＤＲを受信する機能を有している。このＣｏｎｔｅｎｔ  ＣＤＲは、ＡＰサーバ２０から携帯端末３０にダウンロードされたコンテンツデータについてのコンテンツ詳細情報であり、コンテンツデータの送信日時，コンテンツ識別コード，着信側識別情報（携帯端末３０の電話番号），データ容量，コンテンツ料金が記録されている。そして、ＣＰＵ１４２は、このＣｏｎｔｅｎｔ  ＣＤＲをコンテンツ料金情報登録ＤＢ１４１ｃに記録する機能を有している。
【００５４】
また、ＣＰＵ１４２は、携帯端末３０に対する通信料金の算出日になると、月次ユーザ課金情報登録ＤＢ１４１ａに記録されたユーザの課金ファイルに記憶されている課金データと、ユーザ管理情報登録ＤＢ１４１ｂに記憶されているユーザ管理データとを用いて、携帯端末３０の通信パケット料金とＣＳＰ２が提供したコンテンツに対する料金を含む請求書を作成するための請求書データを生成する。
【００５５】
また、ＣＰＵ１４２は、請求書を作成するに先立ち、または、その後、通信事業者２がＣＳＰ２の替わりに取り立てるコンテンツ料金と、ＣＳＰ２が要求するコンテンツ料金が一致するか否かを、月次ユーザ課金情報登録ＤＢ１４１ａのユーザ課金ファイルに記憶されている課金データと、コンテンツ料金情報登録ＤＢ１４１ｃに記憶されているＣＳＰ２から送信されてきたＣｏｎｔｅｎｔ  ＣＤＲとを照合して判定するコンテンツ詳細情報認証手段としての機能を有している。
【００５６】
次に、本実施形態のデータ通信課金システムの全体の動作について説明する。ここで、本発明に係るデータ通信課金方法における各工程についても同時に説明する。
【００５７】
図９は、本実施形態のデータ通信課金システムの全体動作を示すシーケンス図である。
【００５８】
ユーザがコンテンツを取得するための操作を携帯端末３０に対して行うと、携帯端末３０は、通信方式としてＣＤＭＡ（Ｃｏｄｅ  Ｄｉｖｉｓｉｏｎ  ｏｎ  Ｍｕｌｔｉｐｌｅ
Ａｃｃｅｓｓｓ）を用い、モバイルネットワーク４０を介してコンテンツ送信要求をＣＳＰ２に管理されているＡＰサーバ２０に送信する（図９：ステップＳ１１）。
【００５９】
ＡＰサーバ２０が、携帯端末１０からコンテンツ送信要求を受信すると、この送信要求に有するＵＲＬに指定されたコンテンツデータを、例えば１２８Ｋバイトのパケット単位にして通信回線４５及びモバイルネットワーク４０を介して携帯端末３０に送信する（図９：ステップＳ１２，コンテンツ伝送工程）。この送信されるコンテンツデータには、ダウンロード日時、送信先電話番号（携帯端末３０の電話番号）、及び、上記ＵＲＬが付随されている。
【００６０】
そして、ＡＰサーバ２０は、送信したコンテンツデータに関するＣｏｎｔｅｎｔ  ＣＤＲを請求処理サーバ１４へ送信する（図９：ステップＳ１３）。
【００６１】
プローブ装置１０のＣＰＵ１０２が、ＡＰサーバ２０が携帯端末３０に対して送信した通信データからデータ詳細情報を検出すると（図９：ステップＳ１４）、この通信データに付随するデータ詳細情報である送信日時、送信先電話番号（携帯端末３０の電話番号）、及び、ＵＲＬ情報を抽出する。その後、ＣＰＵ１０２は、読み出された日時、電話番号、及びＵＲＬが記録されたデータ詳細情報をコンテンツ情報登録ＤＢ１０１ａに書き込むとともに、課金処理サーバ１３に出力する（図９：ステップＳ１５）
【００６２】
例えば、日時が「４月９日３時１０分」で、携帯端末３０の電話番号が「０９０１１１２２２３３」で、かつ、ＵＲＬが「ｈｔｔｐ：／／ｗｗｗ．ａｈｏｓｔ／ｂｄｅｒｅ／ｃｆｉｌｅ．ｈｔｍｌ」の場合には、図２の符号Ａに示すデータが生成され、このデータがコンテンツ情報登録ＤＢ１０１ａに書き込まれるとともに、課金処理サーバ１３に出力される。
【００６３】
ネットワーク装置１１では、携帯端末３０によるデータ通信に使用されたパケット数を検出する（図９：ステップＳ１６）。続いて、ネットワーク装置１１は、このデータ通信の日時、発信元電話番号（携帯端末３０に割り当てられた電話番号）、及び、先に検出したパケット数を有する情報を通信制御サーバ１２に出力する（図９：ステップＳ１７）。
【００６４】
通信制御サーバ１２は、ネットワーク装置１１から、データ通信日時と、この携帯電話の電話番号、及び、データ通信にかかるパケット数とが入力されると、Ｐａｃｋｅｔ  ＣＤＲを生成し（図９：ステップＳ１８）、このＰａｃｋｅｔ  ＣＤＲを課金処理サーバ１３に出力する（図９：ステップＳ１９）。
【００６５】
課金処理サーバ１３は、プローブ装置１０からデータが入力され（データ詳細情報抽出工程）、かつ、通信制御サーバ１２からＰａｃｋｅｔ  ＣＤＲが入力されると、入力されたデータとＰａｃｋｅｔ  ＣＤＲとから、課金データ生成処理を行う（図９：ステップＳ２０，課金処理工程）。その後、課金処理サーバ１３は、生成した課金データを請求処理サーバ１４に出力する（図９：ステップＳ２１）。
【００６６】
請求処理サーバ１４は、課金データを課金処理サーバ１３から入力すると、記憶装置１４１の月次ユーザ課金情報登録ＤＢ１４１ａに記憶されている対応する月次ユーザ課金ファイルに課金データを書き込む（図９：ステップＳ２２）。
【００６７】
例えば、電話番号が「０９０１１１２２２３３」、ダウンロード日時が「４／９  １３：１０」、種別が「Ｗｅｂページ」、プロトコル名が「ＨＴＴＰ］、パケット数が「２５００」、パケット単価料金が「４５」、コンテンツ料金が「７０」、結合課金が「１１５」の課金データは、図７（ａ）の符号Ａに示すように月次ユーザ課金ファイルに書き込まれる。
【００６８】
その後、ユーザに請求書を発行するときが来ると、請求処理サーバ１４は、ユーザの月次ユーザ課金ファイルに記憶されている課金データと、コンテンツ料金情報登録ＤＢ１４１ｃに記録されたユーザのユーザコンテンツ料金ファイルに記憶されているＣｏｎｔｅｎｔ  ＣＤＲとを参照し、それぞれのデータに記述されているコンテンツ料金を照合する（図９：ステップＳ２３，コンテンツ詳細情報認証工程）。
【００６９】
例えば、図７（ａ）の符号Ａに示された課金データと、図８の符号Ａに示されたＣｏｎｔｅｎｔ  ＣＤＲとが照合された場合には、ＣＳＰ２から請求があったコンテンツ料金と、実際に携帯端末３０にダウンロードされたコンテンツ料金とが異なっていると照合される。
【００７０】
請求処理サーバ１４は、照合した結果、互いのコンテンツ料金が同じ値でないと判定した場合には、課金処理サーバ１３により生成された課金データに記述されているコンテンツ料金をＣＳＰ２に代行してユーザから徴収するコンテンツ料金と判定するとともに、後日、異なったコンテンツ料金の請求があった旨をＣＳＰ２に知らせるためのデータとして、互いのデータを記憶装置１４１に記憶する。
【００７１】
請求処理サーバ１４は、全てのデータの照合を終了すると、ユーザ管理情報登録ＤＢ１４１ｂに記憶されているユーザ管理データと、該当するユーザの月次ユーザ課金ファイルに登録されている課金データとを用いて、ユーザに対する請求書を作成するための請求書データを生成する（図９：ステップＳ２４）。その後、請求処理サーバ１４は、生成した請求書データを用いて印刷装置（図示せず）にユーザに請求する請求書を印刷させ、処理を終了する。
【００７２】
ここで、上述した課金処理工程及びデータ詳細情報抽出工程，コンテンツ詳細情報認証工程については、その内容をプログラム化しコンテンツ課金処理，通信課金処理及び抽出データ受信処理，コンテンツ詳細情報認証処理として課金処理サーバ１３若しくは請求処理サーバ１４を制御するコンピュータに実行させるように構成してもよい。
【００７３】
次に、上述した課金処理サーバ１３の課金データ生成処理動作を、図１０を参照して説明する。
【００７４】
課金処理サーバ１３のＣＰＵ１３２は、プローブ装置１０からデータ詳細情報が入力され、また、データ通信制御サーバ１２からＰａｃｋｅｔ  ＣＤＲが入力されると、まず、プローブ装置１０からのデータ詳細情報が示すＵＲＬに記述されているスキームを参照し、コンテンツデータが転送される際に使用されたプロトコルを特定する（図１０：ステップＳ１９１）。
【００７５】
例えば、ＵＲＬが「ｈｔｔｐ：／／ｗｗｗ．ａｈｏｓｔ／ｂｄｅｒｅ／ｃｆｉｌｅ．ｈｔｍｌ」の場合には、スキームが「ｈｔｔｐ」であるので、このコンテンツが転送される際に使用されたプロトコルが「ＨＴＴＰ」であることが、課金処理サーバ１３により特定される。
【００７６】
その後、記憶装置１３１に記憶されたコンテンツ識別リスト１３１ａ（図４（ａ）に示す）を参照し、携帯端末３０にダウンロードされたコンテンツデータを識別するコンテンツ識別コードを特定する（図１０：ステップＳ１９２）。
【００７７】
例えば、プローブ装置１０からのデータ詳細情報が示すＵＲＬが「ｈｔｔｐ：／／ｗｗｗ．ａｈｏｓｔ／ｂｄｅｒｅ／ｃｆｉｌｅ．ｈｔｍｌ」の場合は、図４（ａ）に示すように、ダウンロードされたコンテンツデータのコンテンツ識別コードが「Ａ１１１１１１」であると特定される。
【００７８】
続いて、ダウンロードされたコンテンツデータのコンテンツ識別コードを特定すると、記憶装置１３１に記憶されたコンテンツ単価リスト１３１ｂ（図４（ｂ）に示す）を参照し、このコンテンツ識別コードを有するコンテンツのコンテンツ単価及びコンテンツの種別を特定する（図１０：ステップＳ１９３）。
【００７９】
例えば、先に特定したコンテンツ識別コードが「Ａ１１１１１１」である場合は、図４（ｂ）に示すように、このコンテンツの単価が「１００（円）」で、かつ、種別が「Ｗｅｂページ」であると特定される。
【００８０】
続いて、データ通信制御サーバ１２から入力されたＰａｃｋｅｔ  ＣＤＲに記録されているパケット数を読み出し、このパケット数に１パケットを送信するための単価（１パケット送信単価）を乗算して、ダウンローダされたコンテンツデータのパケット送信料金を算出する（図１０：ステップＳ１９４）。
【００８１】
例えば、ダウンローダされたコンテンツデータのパケット数が２５００（パケット）で、かつ、１パケット送信単価が「０．０２（円）」の場合には、このコンテンツのパケット送信料金が「５０（円）」であると算出される。
【００８２】
携帯端末３０にダウンロードされたコンテンツのコンテンツ料金を算出すると、記憶装置１３１に記憶されている第１パケット料金修正リスト１３１ｃ（図５（ａ）に示す）を参照し、先に特定したＵＲＬに対応するパケット料金単価修正率を読み出す（図１０：ステップＳ１９５）。
【００８３】
例えば、先に特定されたＵＲＬが「ｈｔｔｐ：／／ｗｗｗ．ａｈｏｓｔ／ｂｄｅｒｅ／ｃｆｉｌｅ．ｈｔｍｌ」である場合は、図５（ａ）に示すように、パケット料金単価修正率が「１００（％）」に設定される。
【００８４】
続いて、記憶装置１３１に記憶されている第２パケット料金修正リスト１３１ｄ（図５（ｂ）に示す）を参照し、携帯端末３０にコンテンツがダウンロードされた際に使用されたプロトコルに対応するパケット料金単価修正率を読み出す（図１０：ステップＳ１９６）。
【００８５】
例えば、先に特定されたプロトコルが「ＨＴＴＰ」である場合は、図５（ｂ）に示すように、パケット料金単価修正率が「９０（％）」に設定される。
【００８６】
このようにして、ＵＲＬに対してのパケット料金修正率と、プロトコルに対してのパケット料金単価修正率とを読み出すと、先に算出したパケット料金に、ＵＲＬに対してのパケット料金単価修正率、及び、プロトコルに対してのパケット料金単価修正率を乗算して、コンテンツがダウンロードされたときの通信にかかるパケット料金を算出する（図１０：ステップＳ１９７）。
【００８７】
例えば、特定されたＵＲＬに対してのパケット料金単価修正率が「１００（％）」であり、プロトコルに対してのパケット料金単価修正率が「９０％」であり、かつ、先に算出したパケット料金が「５０（円）」である場合は、ユーザに請求するパケット料金が「５０×１×０．９＝４５（円）」と算出される。
【００８８】
続いて、先に特定してダウンロードされたコンテンツデータのコンテンツ料金と、算出したユーザに請求するパケット料金とを合算して結合課金を算出する（図１０：ステップＳ１９８）。
【００８９】
例えば、先に特定されたコンテンツ料金が「７０（円）」であり、かつ、計算されたユーザに請求するパケット料金が「４５（円）」である場合は、結合課金が「１１５（円）」と算出される。
【００９０】
その後、コンテンツがダウンロードされた携帯端末の電話番号、コンテンツがダウンロードされた日時、コンテンツの種別、コンテンツがダウンロードされる際に使用されたプロトコル名、コンテンツをダウンロードする際に要したパケット数、パケット料金、コンテンツ料金、及び、結合課金を用いて、課金データを生成する（図１０：ステップＳ１９９）。
【００９１】
例えば、コンテンツがダウンロードされた携帯端末の電話番号が「０９０１１１２２２３３」であり、コンテンツがダウンロードされた日時が「４月９日３時１０分」であり、コンテンツの種別が「Ｗｅｂページ」であり、コンテンツがダウンロードされる際に使用されたプロトコル名が「ＨＴＴＰ」であり、コンテンツをダウンロードする際に要したパケット数が「２５００」であり、パケット料金が「４５（円）」であり、コンテンツ料金が「７０（円）」であり、結合課金が「１１５（円）」である場合は、メールアドレスフィールドに「ａｏｋｉ＠ａｓｈａ．ｃｏ．ｊｐ」が、ダウンロード日時フィールドに「４月９日３時１０分」が、コンテンツ種別に「Ｗｅｂページ」が、プロトコルフィールドに「ＨＴＴＰ」が、パケット数フィールドに「２５００」が、パケット料金フィールドに「４５（円）」が、コンテンツ料金フィールドに「７０（円）」が、及び、結合課金フィールドに「１１５（円）」が記録された課金データが生成される。
【００９２】
ここで、本実施形態では、課金処理サーバ１３で課金データを作成し、請求処理サーバ１４で、課金処理サーバ１３からの課金データとＡＰサーバ２０からのＣｏｎｔｅｎｔ  ＣＤＲとを照合し、請求データを作成しているが、これに限らず、課金処理サーバ１３と請求処理サーバ１４の機能を併せ持つサーバを課金システムサーバとして課金処理サーバ１３と請求処理サーバ１４とに代えて設置してもよい。
【００９３】
以上のような実施形態によれば、請求処理サーバ１４により、プローブ装置１０に検出された通信データに示されたコンテンツデータに対するコンテンツ料金と、予めＣＳＰ２から提示されたＣｏｎｔｅｎｔ  ＣＤＲとが照合されるので、ＣＳＰ２から請求処理サーバ１４に提示されたコンテンツデータに対するコンテンツ料金が、実際に携帯端末３０にダウンロードされたコンテンツデータに対するコンテンツ料金であるかを確認することができる。
【００９４】
また、課金処理サーバ１３により、コンテンツデータが携帯端末３０にダウンロードされたときに要した基本パケット料金が、コンテンツデータの格納箇所を示すＵＲＬに従って修正する第１の料金修正データ、及びプロトコルに従って修正する第２の料金修正データに基づき、携帯端末３０のユーザに対して徴収するパケット料金が修正されるので、携帯端末３０にコンテンツデータがダウンロードされる際にかかるパケット料金を柔軟に設定することができる。
【００９５】
また、課金処理サーバ１３により、修正されたパケット料金とコンテンツ料金とを合算した課金データが生成されるので、ユーザに対して請求書を作成する際に必要となる請求書データを生成することができる。
【００９６】
また、課金処理サーバ１３により、コンテンツデータが格納されているＵＲＬが検出され、かつ、携帯端末３０にコンテンツデータがダウンロードされた際に使用されたプロトコルが検出されるので、コンテンツデータのダウンロード時にかかるパケット料金を柔軟に設定するために必要となるＵＲＬ及びプロトコルを得ることができる。
【図面の簡単な説明】
【００９７】
【図１】本発明に係る一実施形態の全体の構成を示すブロック図である。
【図２】図１に示す実施形態に開示されたプローブ装置を構成する記憶装置に記憶されたコンテンツ情報登録ＤＢの説明図である。
【図３】図１に示す実施形態に開示された課金処理サーバを構成する記憶装置の説明図である。
【図４】（ａ）図３に開示されたコンテンツ識別リストの一例を示す図である。（ｂ）図３に開示されたコンテンツ単価リストの一例を示す図である。
【図５】（ａ）図３に開示された第１パケット料金単価修正リストの一例を示す図である。（ｂ）図３に開示された第２パケット料金単価修正リストの一例を示す図である。
【図６】図１に示す実施形態に開示された請求処理サーバを構成する記憶装置の説明図である。
【図７】（ａ）図６に開示された月次ユーザ課金情報登録ＤＢを説明する図である。（ｂ）図６に開示されたユーザ管理情報登録ＤＢを説明する図である。
【図８】図６に開示されたコンテンツ料金情報登録ＤＢを説明する図である。
【図９】図１に示す実施形態の全体動作を示すシーケンス図である。
【図１０】図１に示す実施形態に開示された課金処理サーバの課金データ生成処理動作を示すフローチャートである。
【図１１】従来のコンテンツ料金徴収システムの構成を示すブロック図である。
【符号の説明】
【００９８】
１  通信事業者
１０  プローブ装置
１０１  記憶装置
１０１ａ  コンテンツ情報登録ＤＢ
１０２  ＣＰＵ（データ詳細情報抽出手段，データ送信手段）
１１  ネットワーク装置
１２  通信制御サーバ
１３  課金処理サーバ
１３１  記憶装置
１３１ａ  コンテンツ識別リスト
１３１ｂ  コンテンツデータ登録リスト
１３１ｃ  第１パケット料金修正リスト
１３１ｄ  第２パケット料金修正リスト
１３２  ＣＰＵ（課金処理手段）
１４  請求処理サーバ
１４１  記憶装置
１４１ａ  月次ユーザ課金情報登録ＤＢ
１４１ｂ  ユーザ管理情報登録ＤＢ
１４１ｃ  コンテンツ料金情報登録ＤＢ
１４２  ＣＰＵ（コンテンツ詳細情報認証手段）
２  コンテンツサービスプロバイダ
２０  アプリケーションサーバ（コンテンツ提供サーバ）
３０  携帯端末
４０  モバイルネットワーク
４５  通信回線
【図１】
2008026956.tif 000003
【図２】
2008026956.tif 000004
【図３】
2008026956.tif 000005
【図４】
2008026956.tif 000006
【図５】
2008026956.tif 000007
【図６】
2008026956.tif 000008
【図７】
2008026956.tif 000009
【図８】
2008026956.tif 000010
【図９】
2008026956.tif 000011
【図１０】
2008026956.tif 000012
【図１１】
2008026956.tif 000013